(57)【要約】【課題】    傘の骨に取付けるものであって、自分と他人の傘を遠くからでも識別できる識別用アクセサリーを提供すること。【解決手段】    識別用アクセサリー１が識別主体２と装飾体３とからなる。識別主体２は、スプリング機能を有する線材によりコイル２１を形成し、コイル２１の線材を利用して当該コイルの一端に環上部を形成し、他端にコイルよりも突出しないフック部を形成する。装飾体３は、キャラクター３１とストラップ３２を結合したものである。コイル２１の環状部に装飾体３のストラップ３２を結合する。コイルのフック部を傘１００の骨部に装着する。キャラクター３１はストラップ３２に対し交換可能に結合されている。【選択図】    図２
0003104760.tif 000002
【実用新案登録請求の範囲】
【請求項１】
識別用アクセサリーが、識別主体（１０）と装飾体（２０）とからなり、上記識別主体は、スプリング機能を有する線材によりコイル（１１）を形成し、該コイルの線材を利用して当該コイルの一端に環上部（１２）を形成し、他端に上記コイルよりも突出しないフック部（１３）を形成したものであり、上記装飾体は、キャラクター（２１）とストラップ（２２）を結合したものであり、上記コイルの環状部に上記ストラップを結合し、上記フック部を傘の骨部に装着することを特徴とする傘の識別用アクセサリー。
【請求項２】
キャラクター（２１）は、ストラップ（２２）に対し交換可能に結合したものであることを特徴とする請求項１に記載の傘の識別用アクセサリー。
【考案の詳細な説明】
【技術分野】
【０００１】
本考案は、傘の識別用アクセサリーに関するものであって、例えば、傘立てに置かれた多数の傘の中から自分の傘をいち早く見つけることができる識別用アクセサリーに関している。
【背景技術】
【０００２】
傘立てに置かれた傘は、多数のものが無造作に置かれているので、自分の傘の特長をよく把握していないと、他人のものを間違えて持ち帰ることや、自分のものを他人に持ち帰られるといった事故が絶えないが、特別な対策は講じられていなかった。
【０００３】
従来技術において、傘の取り違えを防止するための識別具が、特許文献１及び特許文献２に開示されている。特許文献１に記載の発明は、途中が切れているリング部２に本体部１を結合し、本体部１の天面３に任意の装飾を施したものである。また、特許文献２に記載の考案は、湾曲させた識別基台１に任意の着色をした識別子３を結合したものであり、いずれの識別具も傘の柄に取付けるものである。
【０００４】
【特許文献１】実開平７−３９５２８号公開実用新案公報
【特許文献２】特開２００３−１６４３１０号公開特許公報
【０００５】
従来提案された上記の発明・考案は、識別具に着色の異なる識別子を設けているので自己と他人の傘を認識しやすいということの利点はあるが、いずれの識別具も傘の柄に取付けて使用する構造なので、傘を使用するときに識別具が邪魔になり、必ずしも使いやすいものとは言えなかった。
【考案の開示】
【考案が解決しようとする課題】
【０００６】
本考案は、傘の骨に取付けるものであって、自分と他人の傘を遠くからでも識別できることは勿論のこと、取付け位置が傘の骨部であるから使用中に違和感がなく、使いやすい傘の識別用アクセサリーを提供することを課題としている。
【課題を解決するための手段】
【０００７】
解決手段の第１は、識別用アクセサリーが、識別主体と装飾体とからなり、上記識別主体は、スプリング機能を有する線材によりコイルを形成し、該コイルの線材を利用して当該コイルの一端に環上部を形成し、他端に上記コイルよりも突出しないフック部を形成したものであり、上記装飾体は、キャラクターとストラップを結合したものであり、上記コイルの環状部に上記ストラップを結合し、上記フック部を傘の骨部に装着することを特徴とするものである。
解決手段の第２は、解決手段の第１において、キャラクターは、ストラップに対し交換可能に結合したものであることを特徴とする。
【考案の効果】
【０００８】
本考案は、傘の骨に取付けるものであって、傘を畳んで傘立てに置いた時に、遠くからでも自分と他人の傘を瞬時に又は遠くからでも識別でき、他人のものを間違って持ち帰ることや、あるいは、間違って他人に持ち帰られてしまうといった事故を抑止することができる。また、装飾部分は、使用者が気に入っているキャラクターと交換して使用することができるので、自己の所有であることの確認が素早く行なえるものである。
【考案を実施するための最良の形態】
【０００９】
図１は本考案に係る識別用アクセサリーの全体を示す斜視図、図２，３は識別用アクセサリーを傘に装着した状態を示しており、図２は傘を広げた状態、図３は傘を畳んだ状態の斜視図である。
【００１０】
識別用アクセサリー１は、識別主体２と装飾体３によって構成されている。識別主体２は、スプリング機能を有する線材によりコイル２１を形成し、該コイル２１の線材を利用して当該コイル２１の一端に環状部２２を形成し、他端にフック部２３を形成したものである。実施形態において、環状部２２はコイル２１の外側まで引き出した位置に形成し、フック部２３はコイル２１よりも突出しない位置に形成する。
【００１１】
装飾体３は、キャラクター３１とストラップ３２を結合したものであり、ストラップ３２に設けた取付けリング３３を前記コイル２１の環状部２２に連結している。実施形態において、キャラクター３１は任意のものであり、また、キャラクター３１とストラップ３２はダブルリング３４によって結合されている。
【００１２】
本考案は、上記の構成からなるものであり、識別用アクセサリー１を使用する時は、コイル２１を押しつぶしてフック部２３を該コイル２１から突出し、突出した当該フック部２３を傘１００の任意の骨部１１０に係合する。識別主体２にはコイル２１の弾性力が働いてフック部２３をコイル側に引き付けられているので、フック部２３を骨部１１０に装着すると、識別用アクセサリー１はこの位置で停止している。
【００１３】
図２，３は、本考案の識別用アクセサリー１を傘に装着した状態を示しており、図２は傘１００を広げた状態であり、また、図３は傘１００を畳んだ状態を示している。図２に示すように、傘１００を使用する時は、識別用アクセサリー１を身近に感じて心地よく、また、図３に示すように、傘１００を折り畳んで傘立てに置いた場合は、識別用アクセサリー１が傘１００の外側に位置しているので、遠くから自分と他人の区別ができ傘を取り違えるおそれがない。
【００１４】
実施形態において、キャラクター３１とストラップ３２はダブルリング３４によって連結されているから、キャラクター３１を好みに合わせて交換することができる。また、ストラップ３２はチェーン又は紐などにより形成する。
【図面の簡単な説明】
【００１５】
【図１】本考案に係る識別用アクセサリーの全体を示す斜視図。
【図２】識別用アクセサリーの使用例であり傘を広げた状態を示す斜視図。
【図３】識別用アクセサリーの使用例であり傘を畳んだ状態を示す斜視図。
【符号の説明】
【００１６】
１  識別用アクセサリー
２  識別主体
２１  コイル
２２  環状部
２３  フック部
３  装飾体
３１  キャラクター
３２  ストラップ
３３  取付けリング
３４  ダブルリング
１００  傘
１１０  骨部
【図１】
0003104760.tif 000003
【図２】
0003104760.tif 000004
【図３】
0003104760.tif 000005